(57)【要約】【課題】  カッターホルダー３に設けられたベアリング機構を有する差し込み孔４に差し込んで回転自在に取り付けたカッティングプロッターのカッター１について、インクジェット印刷用の紙または合成樹脂シートを切り抜く場合に生じやすい切り屑による回転不良を、きわめて簡便な手段により防止できるようにする【解決手段】  カッター１に、差し込み孔４の縁部に近接して、外方に張り出した鍔体９をカッター１と共に回転自在に設ける。【選択図】  図１
2005349516.tif 000002
【特許請求の範囲】
【請求項１】
カッターホルダに設けられたベアリング機構を有する差し込み孔に、先端に刃を有する棒状のカッターが差し込まれて回転自在に取り付けられており、しかもカッターには、差し込み孔の縁部に近接して、外方に張り出した鍔体がカッターと共に回転自在に設けられていることを特徴とするカッティングプロッターのカッター取付構造。
【請求項２】
鍔体が、円形の紙または合成樹脂シートで、カッターを貫通させて差し込むことで取り付けられていることを特徴とする請求項１に記載のカッティングプロッターのカッター取付構造。
【請求項３】
鍔体の外面側に粘着剤が付設されていることを特徴とする請求項２に記載のカッティングプロッターのカッター取付構造。
【請求項４】
鍔体の内面側にシリコーン樹脂が付設されていることを特徴とする請求項２または３に記載のカッティングプロッターのカッター取付構造。
【発明の詳細な説明】
【技術分野】
【０００１】
本発明は、カッティングプロッターに用いられるカッターの取付構造に関する。
【背景技術】
【０００２】
一般に、カッティングプロッターのカッターは、先端に刃を有する棒状をなすもので、カッティングプロッターへ取り付けられるカッターホルダーに、軸回りに回転自在に取り付けられて使用されている。
【０００３】
従来、カッターホルダーへのカッターの取り付けは、カッターホルダに設けられたベアリング機構を有する差し込み孔に、カッターを後端側から差し込むことで行われている（例えば、特許文献１参照）。また、カッターホルダーは、通常、差し込み孔側に被せられるキャップを備えており、カッターは、このキャップに設けられた刃先孔から刃先を外部に臨ませるものとなっている（例えば、特許文献２参照）。
【０００４】
【特許文献１】特開平５−２２０６９６号公報
【特許文献２】実開平６−１７８９８号公報
【発明の開示】
【発明が解決しようとする課題】
【０００５】
しかしながら、上記従来のカッターの取付構造の場合、特にインクジェット印刷用の紙または合成樹脂シートを切り抜くと、短時間でカッターの回転不良を発生しやすい問題がある。カッティングプロッターのカッターは、軸回りに自在に回転することで、曲線やコーナーの切断を可能にしているもので、この回転が妨げられると、切り抜きラインが乱れると共に、カッターの刃先折れを生じる原因となる。また、カッターの回転不良には、カッターの交換のみでは対処できないので、カッターホルダーごとカッターを交換しなければならず、頻繁な交換の手間だけではなく、経費の増大を生んでいる。
【０００６】
このような問題が特にインクジェット印刷用の紙や合成樹脂シートを切り抜く場合に生じやすい理由は、これらの紙や合成樹脂シートは、インクの滲み防止や定着性向上のための表面処理層が設けられており、この表面処理層が切断時に切り屑となって飛散するためと考えられる。実際、インクジェット印刷用の紙や合成樹脂シートを切り抜き、カッターの回転不良をきたしたカッターホルダーのキャップを取り外すと、多量の白色微粉が、カッター、カッターホルダーの差し込み孔周縁およびキャップの内面に付着していることが観察される。この白色微粉は、隙間から差し込み孔内にも侵入し、カッターを回転自在に保持しているベアリング機構を損傷させているものと考えられる。
【０００７】
本発明は、上記従来の問題点に鑑みてなされたもので、カッターホルダーに設けられたベアリング機構を有する差し込み孔に差し込んで回転自在に取り付けたカッティングプロッターのカッターについて、インクジェット印刷用の紙または合成樹脂シートを切り抜く場合に生じやすい切り屑による回転不良を、きわめて簡便な手段により防止できるようにすることを目的とする。
【課題を解決するための手段】
【０００８】
すなわち、本発明は、カッターホルダーに設けられたベアリング機構を有する差し込み孔に、先端に刃を有する棒状のカッターが差し込まれて回転自在に取り付けられており、しかもカッターには、差し込み孔の縁部に近接して、外方に張り出した鍔体がカッターと共に回転自在に設けられていることを特徴とするカッティングプロッターのカッター取付構造を提供するものである。
【０００９】
また、上記本発明は、鍔体が、円形の紙または合成樹脂シートで、カッターを貫通させて差し込むことで取り付けられていること、
鍔体の外面側に粘着剤が付設されていること、
鍔体の内面側にシリコーン樹脂が付設されていること、
をその好ましい態様として含むものである。
【発明の効果】
【００１０】
本発明における鍔体は、カッターホルダーの差し込み孔側の端面を覆う、防塵カバーとして機能する。従って、インクジェット印刷用の紙や合成樹脂シートを切り抜き、切り屑を生じても、切り屑がカッターホルダーの差し込み孔へと侵入するのを防止することができ、切り屑の差し込み孔への侵入によるカッターの回転不良を防止することができる。
【発明を実施するための最良の形態】
【００１１】
図１〜図４に基づいて本発明の一例を説明する。
【００１２】
図１は本発明の一例に係るカッター取付構造を備えたカッターホルダーの一部を断面とした正面図、図２は図１に示されるカッターホルダーの一部を断面とした分解正面図、図３は図１および図２に示される鍔体のカッターへの取り付け前の拡大斜視図である。
【００１３】
図１および図２に示されるように、カッター１は、先端に刃２を有する棒状をなすもので、カッターホルダー３の差し込み孔４に後端側から差し込まれて取り付けられている。
【００１４】
差し込み孔４には、カッター１を軸回りに回転自在に保持ずるベアリング機構が設けられている。本例のベアリング機構は、丸棒状をなすカッター１の中間部を保持するスラストベアリング５と、円錐形をなすカッター１の後端部を保持するピボットベアリング６で構成されている。
【００１５】
カッターホルダー３の差し込み孔４の開口側には、キャップ７が被せられてねじ込まれている。キャップ７には、上記差し込み孔４に差し込まれたカッター１の先端部に対応する位置に刃先孔８が形成されており、カッター１はこの刃先孔８から刃先（刃２の尖端）を外部に臨ませている。刃先はカッター１の回転中心から偏心しており、カッター１は、この刃先の偏心によって、切り抜き対象である紙や合成樹脂シートの縦方向（Ｙ方向）への動きと、カッティングプロッターに取り付けられて移動制御されるカッターホルダー３の横方向（Ｘ方向）への動きに対し、回転して追従するものとなっている。
【００１６】
カッター１には、差し込み孔４の縁部に近接して、外方に張り出した鍔体９が、カッター１と共に回転自在に設けられている。
【００１７】
上記鍔体９は、図１〜図３に示されるように、キャップ７の内径より一回り小さい円形に切り抜いた紙または合成樹脂シートで、中心部にカッター１を貫通させて差し込むことで設けられている。
【００１８】
上記鍔体９は、例えばカッター１の中間部に、フランジ状の張り出し部を一体に形成することで設けることもできるが、差し込み孔４への差し込み深さに対応して上記張り出し部を形成するコストを考えると、円形に切り抜いた紙または合成樹脂シートの鍔体９とすることが好ましい。特にこの円形に切り抜いた紙または合成樹脂シートの鍔体９は、軽く、カッター１への負担も無視できるばかりか、カッター１を貫通させて差し込むことで取り付けることができ、既存のカッター１、カッターホルダー３およびキャップ７に何ら変更を加えることなく、切り屑によるカッター１の回転不良を防止することができる。また、円形に切り抜いた紙または合成樹脂シートの鍔体９は、カッティングプロッターで容易に作成することができる利点もある。
【００１９】
円形に切り抜いた紙または合成樹脂シートの鍔体９は、カッター１を突き刺しやすくするために、図３に示されるように、中心部に切り込み１０（図面では十字形）を形成しておくことが好ましい。また、この切り込み１０に代えて、小孔を形成しておくこともできる。
【００２０】
次に、鍔９体の他の例について説明する。
【００２１】
図４は鍔体の他の例を示す断面図である。
【００２２】
図示されるように、本例の鍔体９は、紙または合成樹脂シートを円形に切り抜いたベースシート１１の片面に粘着剤１２を付設したものとなっている。
【００２３】
上記粘着剤１２は、鍔体９を図１に示されるように取り付けたときの外面側（キャップ７側の露出面側）に設けられているもので、この粘着剤９を付設しておくことで、刃先孔８からキャップ７内に侵入した切り屑を粘着剤９で補足し、キャップ７内で飛翔することを抑制することができる。
【００２４】
本例の粘着剤１２付の鍔体９は、離型紙付のシール用のシートを切り抜くことで容易に得ることができる。
【００２５】
また、鍔体９の他の例としては、図１に示されるように取り付けたときの内面側（カッターホルダー３側の非露出面側）にシリコーン樹脂を付設したものを挙げることができる。このシリコーン樹脂を付設した鍔体９とすると、鍔体９の内面と差し込み孔４の縁部が接触している場合でも、両者間の良好な滑性が得やすいので、カッター１の滑らかな回転を維持しやすい利点がある。
【図面の簡単な説明】
【００２６】
【図１】図１は本発明の一例に係るカッター取付構造を備えたカッターホルダーの一部を断面とした正面図である。
【図２】図１に示されるカッターホルダーの一部を断面とした分解正面図である。
【図３】図１および図２に示される鍔体のカッターへの取り付け前の拡大斜視図である。
【図４】鍔体の他の例を示す断面図である。
【符号の説明】
【００２７】
１    カッター
２    刃
３    カッターホルダー
４    差し込み孔
５    スラストベアリング
６    ピボットベアリング
７    キャップ
８    刃先孔
９    鍔体
１０  切り込み
１１  ベースシート
１２  粘着剤
【図１】
2005349516.tif 000003
【図２】
2005349516.tif 000004
【図３】
2005349516.tif 000005
【図４】
2005349516.tif 000006